(57)【要約】      （修正有）【課題】接続部分の目隙の拡がり及び突き上げを抑制することができる、床材及び床材の接続構造を提供する。【解決手段】床材１は、無機材料を主材とし、規制部２０を有する雄実部２と、雌実部３とを備える。雄実部２と雌実部３は、床材１を２枚並べて接続させた状態において、嵌め合わさり、規制部２０が雌実部３に引っ掛かって２枚の床材１の離間を規制するように構成されている。雄実部２と雌実部３には、樹脂５が含浸している。また、床材１の接続構造は、無機材料を主材とし雄実部２を備える床材１と、無機材料を主材とし雌実部３を備える床材１とが、雄実部２と雌実部３が嵌め合わさって接続された構造である。雄実部２は、雌実部３に引っ掛かって床材１，１の離間を規制する規制部２０を有する。雄実部２と雌実部３には、樹脂５が含浸している。【選択図】図１
2017110475.tif 000002
【特許請求の範囲】
【請求項１】
無機材料を主材とし、規制部を有する雄実部と、雌実部とを備える床材であって、
前記雄実部と前記雌実部は、
前記床材を２枚並べて接続させた状態において、一方の前記床材の前記雄実部と他方の前記床材の前記雌実部とが嵌め合わさり、前記規制部が前記雌実部に引っ掛かって２枚の前記床材の水平方向の離間を規制するように構成され、
前記床材の前記雄実部と前記雌実部を含む部分に、樹脂が含浸していることを特徴とする床材。
【請求項２】
前記雄実部は、前記床材を２枚並べて接続させた状態において、前記規制部が前記雌実部に線接触して引っ掛かるように構成されていることを特徴とする請求項１に記載の床材。
【請求項３】
前記雄実部は、第二規制部をさらに有し、
前記第二規制部は、前記床材を２枚並べて接続させた状態において、前記雌実部に当たって２枚の前記床材の水平方向の近接を規制するように構成されていることを特徴とする請求項１または２に記載の床材。
【請求項４】
前記第二規制部は、前記床材を２枚並べて接続させた状態において、前記雌実部に線接触するように構成されていることを特徴とする請求項３に記載の床材。
【請求項５】
無機材料を主材とし雄実部を備える第一床材と、無機材料を主材とし雌実部を備える第二床材とが、前記雄実部と前記雌実部が嵌め合わさって接続された床材の接続構造であって、
前記雄実部は、前記雌実部に引っ掛かって前記第一床材と前記第二床材の水平方向の離間を規制する規制部を有し、
前記第一床材の前記雄実部を含む部分と、前記第二床材の前記雌実部を含む部分に、それぞれ樹脂が含浸していることを特徴とする床材の接続構造。
【請求項６】
前記規制部は、前記雌実部に線接触して引っ掛かるように構成されていることを特徴とする請求項５に記載の床材の接続構造。
【請求項７】
前記雄実部は、前記雌実部に当たって前記第一床材と前記第二床材の水平方向の近接を規制する第二規制部をさらに有することを特徴とする請求項５または６に記載の床材の接続構造。
【請求項８】
前記第二規制部は、前記雌実部に線接触するように構成されていることを特徴とする請求項７に記載の床材の接続構造。
【発明の詳細な説明】
【技術分野】
【０００１】
本発明は、床材及び床材の接続構造に関し、詳しくは、実を備える床材及び床材の接続構造に関する。
【背景技術】
【０００２】
特許文献１には、木質材で構成され、雄実と雌実を備える床材が記載されている。
【０００３】
雄実と雌実は、床材を２枚並べて接続した状態において、一方の床材の雄実と他方の床材の雌実とが嵌合して接続するように構成されている。
【先行技術文献】
【特許文献】
【０００４】
【特許文献１】特許第３６８２４４１号公報
【発明の概要】
【発明が解決しようとする課題】
【０００５】
特許文献１に記載の床材は、木質材で構成されているため、放湿時には寸法収縮が大きくて、床材同士の接続部分の目隙が拡がりやすく、反面、吸湿時には寸法拡張が大きくて、床材同士の接続部分の突き上げが生じやすいといった問題があった。
【０００６】
上記事情を鑑みて、本発明の目的は、接続部分の目隙の拡がりと突き上げの発生を抑制することができる、床材及び床材の接続構造を提供すること、とする。
【課題を解決するための手段】
【０００７】
上記課題を解決するための本発明に係る床材は、無機材料を主材とし、規制部を有する雄実部と、雌実部とを備える床材であって、前記雄実部と前記雌実部は、前記床材を２枚並べて接続させた状態において、一方の前記床材の前記雄実部と他方の前記床材の前記雌実部とが嵌め合わさり、前記規制部が前記雌実部に引っ掛かって２枚の前記床材の水平方向の離間を規制するように構成され、前記床材の前記雄実部と前記雌実部を含む部分に、樹脂が含浸していることを特徴とする。
【０００８】
また、上記課題を解決するための本発明に係る床材の接続構造は、無機材料を主材とし雄実部を備える第一床材と、無機材料を主材とし雌実部を備える第二床材とが、前記雄実部と前記雌実部が嵌め合わさって接続された床材の接続構造であって、前記雄実部は、前記雌実部に引っ掛かって前記第一床材と前記第二床材の水平方向の離間を規制する規制部を有し、前記第一床材の前記雄実部を含む部分と、前記第二床材の前記雌実部を含む部分に、それぞれ樹脂が含浸していることを特徴とする。
【発明の効果】
【０００９】
本発明では、接続部分の目隙の拡がりと突き上げの発生を抑制することができる。
【図面の簡単な説明】
【００１０】
【図１】図１Ａは、本発明の第一実施形態の床材の接続状態を示す正面断面図であり、図１Ｂは、同上の床材の接続前の状態を示す正面断面図である。
【図２】同上の床材を示す平面図である。
【図３】図３Ａは、本発明の第二実施形態の床材の接続状態を示す正面断面図であり、図３Ｂは、同上の床材の接続前の状態を示す正面断面図である。
【図４】図４Ａは、本発明の第三実施形態の床材の接続状態を示す正面断面図であり、図４Ｂは、同上の床材の接続前の状態を示す正面断面図である。
【図５】図５Ａは、本発明の第四実施形態の床材の接続状態を示す正面断面図であり、図５Ｂは、同上の床材の接続前の状態を示す正面断面図である。
【発明を実施するための形態】
【００１１】
以下、本発明の実施形態について添付図面に基づいて説明する。
【００１２】
（第一実施形態）
図１Ａ，Ｂ及び図２には、本発明の第一実施形態の床材１、及びこの床材１の接続構造が示されている。床材１は、一方向に長尺な略矩形板状であり、短手方向の一端部に雄実部２を備え、短手方向の他端部に雌実部３を備える。床材１は、床下地４上に、床材１の短手方向に複数枚並べて設置される。以下では、床材１を床下地４上に設置した状態を基準とし、床材１の長手方向を前後方向とし、床材１の短手方向を左右方向とし、床材１の厚み方向を上下方向として、各構成について説明する。図１Ａ，Ｂでは、矢印Ｘ１で示す方向が右方であり、矢印Ｚ１で示す方向が上方である。図２では、矢印Ｙ１で示す方向が前方である。
【００１３】
床材１は、無機材料を主材とする板状の基材１０と、基材１０の上面に積層されるシート状の化粧材１１とを備える。基材１０は、化粧材１１よりも厚みが大きく、床材１の厚み方向の大部分を占める。
【００１４】
基材１０は、ケイ酸カルシウム板、石膏ボード、セメント板等の、無機材料を主材とする、略矩形状の板である。基材１０としては、繊維がさらに混入された、繊維強化セメント板、繊維混入ケイ酸カルシウム板等も好ましく用いられる。基材１０は、軽量で取扱い性に優れ、加工性にも優れるため、ケイ酸カルシウム板、繊維混入ケイ酸カルシウム板であることが好ましい。ケイ酸カルシウム板は、消石灰等の石灰質原料、珪藻土等の珪酸質原料、無石綿（ノンアスベスト）等を主原料に抄造成型し、オートクレーブによって高温・高圧養生して製造される。
【００１５】
化粧材１１は、天然木材を薄くスライスして形成される突板、木目柄等の種々の模様が印刷された紙（印刷紙化粧シート）、合成樹脂等のフィルム（樹脂系化粧シート）、石材、ガラス材等である。樹脂系化粧シートは、例えば、オレフィン系化粧シートやポリエステル系化粧シートである。なお、化粧材１１は、上面に化粧溝等を有してもよい。化粧材１１は、基材１０に接着剤等で貼着されている。
【００１６】
基材１０は、長手方向が前後方向であり、短手方向が左右方向であり、厚み方向が上下方向である。基材１０の右縁には、長手方向に亘って雄実部２が設けられている。基材１０の左縁には、長手方向に亘って雌実部３が設けられている。
【００１７】
基材１０は、雄実部２と雌実部３を含む部分に、樹脂５が含浸している。つまり、雄実部２と雌実部３のそれぞれは、無機材料を主材とし、樹脂５が含浸したものである。本実施形態では、雄実部２と雌実部３を含む部分とは、雄実部２を有する右縁部と、雌実部３を有する左縁部である。なお、基材１０のうち樹脂５が含浸している領域は、右縁部と左縁部に限定されず、それらの周辺部や、さらには基材１０全体でもよい。
【００１８】
樹脂５は、例えば、ウレタン樹脂、エポキシ樹脂、フェノール樹脂、メラミン樹脂、ユリア樹脂、ポリエステル系樹脂、ポリイミド樹脂等であり、特に接着剤として用いられる樹脂であることが好ましい。樹脂５は、ウレタン樹脂やエポキシ樹脂であることが好ましく、この場合、実部２，３に対して含浸させやすく、実部２，３の靱性を確保しやすい。
【００１９】
樹脂５は、例えば、樹脂５の反応原料または反応原料の溶液、エマルジョン等が、基材１０の雄実部２と雌実部３を含む部分に浸透され、熱硬化又は常温硬化されることによって、雄実部２と雌実部３を含む部分に含浸される。樹脂５は、基材１０に浸透しやすくするため、樹脂５の原料の粘度が１００ｍＰａ以下であることが好ましい。また、樹脂５は、基材１０からの溶剤の放出がない方が良く、樹脂５の原料は、低溶剤系さらには無溶剤系であることが好ましい。
【００２０】
なお、床材１は、基材１０と化粧材１１が直接貼着されていてもよいし、基材１０と化粧材１１との間や、基材１０の下面に、樹脂含浸紙や防湿シートなどの機能シートがさらに積層されたものでもよい。また、床材１は、基材１０と化粧材１１の間にＭＤＦ（中密度繊維板）を介在させたものでもよい。
【００２１】
雄実部２は、規制部２０を有している。雄実部２と雌実部３は、床材１を２枚並べて接続させた状態において、左側の床材１の雄実部２と右側の床材１の雌実部３とが嵌め合わさり、規制部２０が雌実部３に引っ掛かって２枚の床材１の水平方向の離間を規制するように構成されている。この接続状態において、雄実部２は、規制部２０が雌実部３に線接触して引っ掛かるように構成されている。
【００２２】
さらに、雄実部２は、第二規制部２１を有している。第二規制部２１は、床材１を２枚並べて接続させた状態において、雌実部３に当たって２枚の床材１の水平方向の近接を規制するように構成されている。この接続状態において、第二規制部２１は、雌実部３に線接触するように構成されている。第二規制部２１は、雌実部３に当たって、２枚の床材１の水平方向の近接を規制することによって、結果的に、２枚の床材１の接続部分の突き上げの発生を抑制する。
【００２３】
床下地４は、下地材１２と、下地材１２上に敷かれた下地シート１３とを備える。下地材１２は、鋼製下地、木造下地、床スラブ、根太等である。下地シート１３は、下地材１２の不陸を吸収可能な不陸吸収機能、クッション機能、防湿機能、防音機能、衝撃音低減機能、透湿機能等の種々の機能のうちの少なくとも一つの機能を有したシートである。
【００２４】
続いて、床材１の左右の縁部の構成についてさらに詳しく説明する。
【００２５】
床材１の左右の縁部は、２枚の床材１を接続する際に、左側の床材１に対して右側の床材１を傾けた姿勢で、左側の床材１の右縁部に右側の床材１の左縁部を差し込みながら、右側の床材１を、左側の床材１と上面同士が面一となる接続状態まで回転させることが可能な形状に設けられている。２枚の床材１は、上記接続状態において、左側の床材１の雄実部２の規制部２０と第二規制部２１がそれぞれ、右側の床材１の雌実部３に線接触することで嵌り合う構造である。規制部２０と第二規制部２１とは、左側の床材１の右縁部への右側の床材１の左縁部の差し込み及び上記接続状態までの回転の妨げとならないように構成されている。これにより、右側の床材１は、左側の床材１に対してスムーズに接続可能である。
【００２６】
図１Ａ，Ｂに示すように、床材１の右縁部は、上下方向の略中央部から右斜め上方に突出した雄実部２と、上端部から右方に突出した雄側突条部２２と、雄実部２と雄側突条部２２の間に設けられる受入凹所２３とを備える。床材１の右縁部は、長手方向（前後方向）に亘って断面形状が同一である。
【００２７】
床材１の右縁部は、化粧材１１の上面の右端から、右斜め下方に延びた面取り部２４と、面取り部２４の右端から、左斜め下方に延びた雄側傾斜面部２５とを有する。面取り部２４は、化粧材１１から基材１０の上端部まで亘っている。なお、面取り部２４は、化粧材１１のみに設けられてもよい。面取り部２４のうち基材１０の部分には、塗装等によって化粧材１１と同様な色柄の表面仕上処理が施されてもよい。雄側突条部２２の上面は、化粧材１１の上面の右端部で構成され、雄側突条部２２の先端面は、面取り部２４で構成され、雄側突条部２２の下面は、雄側傾斜面部２５で構成される。
【００２８】
床材１の右縁部は、雄側傾斜面部２５の下端から下方に延びた略鉛直な上側面部２６と、上側面部２６の下端から右斜め上方に延びた上面部２７と、上面部２７の右端から右斜め下方に延びた先端面部２８とを有する。さらに、床材１の右縁部は、先端面部２８の下端から左斜め下方に延びた下面部２９と、下面部２９の下端から下方に延びた略鉛直な下側面部３０を有する。上面部２７と先端面部２８とでなす角部３１は、鋭角である。先端面部２８と下面部２９とでなす角部３２は、円弧状である。
【００２９】
雄実部２の上面は、上面部２７で構成され、雄実部２の先端面は、先端面部２８で構成され、雄実部２の下面は、下面部２９で構成される。受入凹所２３は、雄側傾斜面部２５と上側面部２６と上面部２７で構成される。
【００３０】
上面部２７の水平面に対する傾斜角度は、雄側傾斜面部２５の水平面に対する傾斜角度よりも小さい。上面部２７の水平面に対する傾斜角度は、下面部２９の水平面に対する傾斜角度よりも大きい。そのため、受入凹所２３は、開口側ほど幅広であり、雄実部２は、先端側ほど幅広である。
【００３１】
床材１の左縁部は、上下方向の略中央部から右斜め上方に凹んだ雌実部３と、上端部から左斜め下方に突出した雌側上突条部３３と、下端部から左方に突出した雌側下突条部３４を有する。床材１の左縁部は、長手方向（前後方向）に亘って断面形状が同一である。
【００３２】
床材１の左縁部は、化粧材１１の上面の左端から左斜め下方に延びた雌側傾斜面部３５と、雌側傾斜面部３５の下端から下方に延びた略鉛直な雌側上先端面部３６と、雌側上先端面部３６の下端から右斜め上方に延びた上側内面部３７とを有する。雌側傾斜面部３５は、化粧材１１から基材１０の上端部に亘っている。雌側傾斜面部３５のうち基材１０の部分には、塗装等によって化粧材１１と同様な色柄の表面仕上処理が施されてもよい。
【００３３】
さらに、床材１の左縁部は、上側内面部３７の右端から右斜め下方に延びた底側内面部３８と、底側内面部３８の下端から左斜め下方に延びた下側内面部３９と、下側内面部３９の左端から左斜め下方に延びた雌側下先端面部４０とを有する。下側内面部３９と雌側下先端面部４０とでなす角部４１は、鈍角である。雌側上先端面部３６と上側内面部３７とでなす角部４２は、円弧状である。
【００３４】
雌側上突条部３３の上面は、雌側傾斜面部３５で構成され、雌側上突条部３３の先端面は雌側上先端面部３６で構成され、雌側上突条部３３の下面は、上側内面部３７で構成される。雌側下突条部３４の上面は、下側内面部３９で構成され、雌側下突条部３４の先端面は、雌側下先端面部４０で構成され、雌側下突条部３４の下面は、基材１０の下面の左端部で構成される。雌実部３は、上側内面部３７と底側内面部３８と下側内面部３９で構成される。
【００３５】
雌側傾斜面部３５の水平面に対する傾斜角度は、雄側傾斜面部２５の水平面に対する傾斜角度と略同じである。雌側傾斜面部３５の水平面に対する傾斜角度は、上側内面部３７の水平面に対する傾斜角度よりも大きい。上側内面部３７の水平面に対する傾斜角度は、下側内面部３９の水平面に対する傾斜角度よりも大きい。下側内面部３９の水平面に対する傾斜角度は、基材１０の下面の水平面に対する傾斜角度（つまり０度）よりも大きい。そのため、雌側上突条部３３は、先端側ほど幅狭であり、雌側下突条部３４は、先端側ほど幅狭であり、雌実部３は、開口側ほど幅狭である。
【００３６】
上側内面部３７の水平面に対する傾斜角度は、雄実部２の上面部２７の水平方向に対する傾斜角度よりも小さい。下側内面部３９の水平面に対する傾斜角度は、雄実部２の下面部２９の水平面に対する傾斜角度よりも小さい。
【００３７】
２枚の床材１を左右方向に並べて接続した接続構造では、左側の床材１の右縁部と、右側の床材１の左縁部とが嵌り合う。本実施形態では、２枚の床材１は、床下地４上に載置された状態で、嵌り合う。２枚の床材１は、一方の床材１が床下地４上に載置された後、他方の床材１が嵌め合わされる。なお、２枚の床材１は、空中で嵌め合わされた後、床下地４上に載置されてもよい。
【００３８】
上記接続構造では、左側の床材１の雄実部２と、右側の床材１の雌実部３とが嵌り合う。このとき、雄実部２の角部３１が、雌実部３の上側内面部３７に線接触し、雄実部２の下面部２９が、雌実部３の角部４１に線接触する。またこのとき、雄実部２の先端面部２８と、雌実部３の底側内面部３８とは、隙間を介して略平行に位置する。またこのとき、左側の床材１の雄実部２の角部３１は、右側の床材１の雌実部３の角部４２よりも上方に位置する。
【００３９】
本実施形態では、規制部２０は、雄実部２の角部３１であり、第二規制部２１は、雄実部２の下面部２９のうちの、雌実部３の角部４１に接触する部分である。
【００４０】
また、上記接続構造では、左側の床材１の受入凹所２３に、右側の床材１の雌側上突条部３３が収まる。このとき、左側の床材１の雄側傾斜面部２５と、右側の床材１の雌側傾斜面部３５とが、隙間を介して略平行に位置し、左側の床材１の上側面部２６と、右側の床材１の雌側上先端面部３６とが、隙間を介して略平行に位置する。
【００４１】
また、上記接続構造では、左側の床材１の雄実部２の下方の空間に、右側の床材１の雌側下突条部３４が収まる。このとき、左側の床材１の下側面部３０と、右側の床材１の雌側下先端面部４０とが、隙間を介して位置する。
【００４２】
以上のように接続された本実施形態の床材１の接続構造では、左右の床材１のそれぞれが、無機材料を主材とするため、木質材を主材とする場合に比べて、放湿時の床材１の収縮と、吸湿時の床材１の拡張を抑制することができる。そのため、この接続構造では、左右の床材１が、収縮により水平方向に離間して、左右の床材１間の目隙が拡がることと、左右の床材１が、拡張により水平方向に近接して、左右の床材１の接続部分に突き上げが生じることとを、材料面で抑制することができる。
【００４３】
さらに、本実施形態の床材１の接続構造では、床材１の雄実部２に規制部２０を設けて、２枚の床材１の雄実部２と雌実部３を、引っ掛かって離間を規制するように構成している。これにより、本実施形態の床材１の接続構造では、構造面からも目隙が拡がることを抑制することができる。そして、本時実施形態の床材１の接続構造では、床材１の雄実部２と雌実部３を含む部分を、樹脂５が含浸した無機材料で構成して、この部分の靱性を高めている。そのため、本実施形態の床材１の接続構造では、引っ掛かる部分（雄実部２及び雌実部３）の破壊を抑制することができる。このように、本実施形態の床材１の接続構造では、接続部分の目隙の拡がりと突き上げの発生を効果的に抑制し、かつ実の破壊を抑制することができる。
【００４４】
特に、本実施形態の床材１の接続構造では、右側の床材１の雄実部２の規制部２０と第二規制部２１が、左側の床材１の雌実部３に線接触しているため、目隙が拡がる方向の力が生じたときに、雄実部２と雌実部３に比較的負荷がかかりやすい。しかし、雄実部２及び雌実部３は、樹脂５を含浸させて靱性を高めているため、破壊されにくい。
【００４５】
また、本実施形態の床材１の接続構造では、左側の床材１の雄実部２の第二規制部２１が、右側の床材１の雌実部３に当たって、左右の床材１の水平方向の近接を規制するため、左右の床材１の接続部分に突き上げが生じることを構造面からも抑制することができる。
【００４６】
また、本実施形態の床材１の接続構造では、左側の床材１の雄実部２の規制部２０と第二規制部２１のそれぞれが、右側の床材１の雌実部３に線接触するように構成されている。これにより、本実施形態の床材１の接続構造では、雌実部３に対しての雄実部２の接続作業をスムーズに行うことができる。つまり、左側の床材１の雄実部２に対して、右側の床材１の雌実部３を差し込みながら回転させる際に、規制部２０及び第二規制部２１が差し込み及び回転の妨げとなりにくい。
【００４７】
また、本実施形態の床材１の接続構造では、床材１が無機材料を主材としているため寸法変化が小さく、接続された床材１同士が施工後に対向方向（目隙の拡縮方向）に移動し難くなるため、ねじや釘等の止め具や接着剤等を用いた、床材１の床下地４への固定が必ずしも必要ではない。そのため、本実施形態の床材１は、床材１の固定に不向きな材質（石膏ボードや防音マット等）の床下地４にも対応可能である。
【００４８】
さらに、本実施形態の床材１は、図２に示すように、後縁部に左右方向に亘って雄実部６を備え、前縁部に左右方向に亘って雌実部７を備える。床材１の後縁部の長手方向に直交する断面形状は、床材１の右縁部の長手方向に直交する断面形状と同じである。また、床材１の前縁部の長手方向に直交する断面形状は、床材１の左縁部の長手方向に直交する断面形状と同じである。つまり、床材１の後縁部は、雄実部２と同じ断面形状の雄実部６と、雄側突条部２２と同じ断面形状の雄側突条部と、受入凹所２３と同じ断面形状の受入凹所を備える。そして、床材１の前縁部は、雌実部３と同じ断面形状の雌実部７と、雌側上突条部３３と同じ断面形状の雌側上突条部と、雌側下突条部３４と同じ断面形状の雌側下突条部を備える。雄実部６は、雄実部２の規制部２０と同じ機能を有する規制部と、雄実部２の第二規制部２１と同じ機能を有する第二規制部とを有する。雄実部６及び雌実部７は、雄実部２及び雌実部３と同様に、無機材料を主材とし、樹脂５が含浸している。床材１の前後の縁部は、床材１の左右の縁部と同様の構造であるため、詳しい説明と図示は省略する。
【００４９】
前後に並ぶ２枚の床材１は、左右に並ぶ２枚の床材１と同様に、雄実部６と雌実部７とが嵌り合うことによって接続される。このとき、雄実部６の規制部が、雌実部７に線接触して引っ掛かり、雄実部６の第二規制部が、雌実部７に線接触する。
【００５０】
前後に並ぶ２枚の床材１の接続構造においても、前後の床材１のそれぞれが、無機材料を主材とするため、木質材を主材とする場合に比べて、放湿時の床材１の収縮と、吸湿時の床材１の拡張を抑制することができる。そのため、この接続構造では、前後の床材１が収縮により水平方向に離間して、前後の床材１間の目隙が拡がることと、前後の床材１が拡張により水平方向に近接して、前後の床材１の接続部分に突き上げが生じることとを、材料面で抑制することができる。そして、この接続構造では、２枚の床材１の雄実部６と雌実部７を、引っ掛かって離間を規制するように構成し、床材１の雄実部６と雌実部７を含む部分を、樹脂５が含浸した無機材料で構成して靱性を高めている。これにより、この接続構造では、構造面からも目隙が拡がることを抑制することができ、かつ引っ掛かる部分（雄実部６及び雌実部７）の破壊を抑制することができる。
【００５１】
また、この接続構造では、前側の床材１の雄実部６の第二規制部が、後側の床材１の雌実部７に当たって、前後の床材１の水平方向の近接を規制するため、前後の床材１の接続部分に突き上げが生じることを構造面からも抑制することができる。
【００５２】
また、この接続構造では、前側の床材１の雄実部６の規制部と第二規制部が、後側の床材１の雌実部７に線接触するように構成されている。そのため、この接続構造では、雌実部７に対しての雄実部６の接続作業をスムーズに行うことができる。つまり、前側の床材１の雄実部６に対して、後側の床材１の雌実部７を差し込みながら回転させる際に、規制部及び第二規制部が差し込み及び回転の妨げとなりにくい。
【００５３】
本実施形態の床材１は、例えば、以下のようにして製造される。
【００５４】
まず、無機材料を主材とする基材１０が、矩形板状に成形される。次いで、矩形板状の基材１０の外周部分に、樹脂５が含浸される。次いで、基材１０の上面に化粧材１１が貼り付けられる。次いで、基材１０及び化粧材１１の縁部が周方向に亘って切削され、各縁部に実部２，３，６，７等が形成されて、床材１が製造される。
【００５５】
なお、実部２，３，６，７に樹脂５を含浸させやすくするために、床材１の各縁部に実部２，３，６，７の荒加工が行われてから、各縁部に樹脂５が含浸され、その後、各縁部に実部２，３，６，７の仕上げ加工が行われてもよい。樹脂５が含浸された後に実部２，３，６，７の仕上げ加工が行われる場合、複雑な形状や角部を有する実構造を形成する場合でも、加工時の基材１０の欠け等を抑制することができる。
【００５６】
なお、矩形板状の基材１０の縁部が周方向に亘って切削されて、各縁部に実部２，３，６，７が形成された後で、各縁部に樹脂５が含浸されてもよい。また、基材１０が、各縁部に実部２，３，６，７等を備える様態で成形された後で、化粧材１１が貼り付けられ、各縁部に樹脂５が含浸されてもよい。実部２，３，６，７の形成後に、樹脂５が含浸される場合、実部２，３，６，７に樹脂５をより確実に含浸させることができるほか、樹脂５の使用量も削減することができる。
【００５７】
続いて、上述した第一実施形態の床材１の接続構造の変更例について説明する。
【００５８】
第一実施形態の床材１の接続構造は、雄実部２のみを備える（つまり雌実部３を備えない）床材１と、雌実部３のみを備える（つまり雄実部２を備えない）床材１とを、雄実部２と雌実部３との嵌め合いにより接続する構造でもよい。
【００５９】
また、第一実施形態の床材１の接続構造は、雄実部２と雌実部３のうちの一方だけを備える床材１と、雄実部２と雌実部３の両方を備える床材１とを、雄実部２と雌実部３との嵌め合いにより接続する構造でもよい。
【００６０】
また、第一実施形態の床材１は、左右の縁部にのみ雄実部２と雌実部３を備え、前後の縁部には雄実部６と雌実部７を備えないものでもよい。
【００６１】
また、第一実施形態の床材１の接続構造は、雄実部２の規制部２０が、雌実部３に対して面接触で引っ掛かる構成や、雄実部２の第二規制部２１が、雌実部３に対して面接触する構成であってもよい。ただし、２枚の床材１は、一方の床材１に対して他方の床材１を斜めに傾けた状態で差し込み可能であり、差し込んだ状態で嵌め合って接続され、水平方向の離間が規制される構造であればよい。
【００６２】
（第二実施形態）
続いて、図３Ａ，Ｂに示す本発明の第二実施形態の床材１ａの接続構造について説明する。本実施形態の床材１ａは、第一実施形態の床材１とは、左右の縁部及び前後の縁部の形状が異なり、その他の構造は、同様である。本実施形態においても、床材１ａの左縁部と前縁部とは長手方向に直交する断面形状が同一であり、床材１ａの右縁部と後縁部とは長手方向に直交する断面形状が同一である。以下では、床材１ａの右縁部と左縁部について詳しく説明する。
【００６３】
床材１ａの左右の縁部は、２枚の床材１ａを接続する際に、左側の床材１ａに対して右側の床材１ａを傾けた姿勢で、左側の床材１ａの右縁部に右側の床材１ａの左縁部を差し込みながら、右側の床材１ａを、左側の床材１ａと上面同士が面一となる接続状態まで回転させることが可能な形状に設けられている。２枚の床材１ａは、接続状態において、左側の床材１ａの雄実部２ａの規制部２０ａと第二規制部２１ａがそれぞれ、右側の床材１ａの雌実部３ａに線接触することで嵌り合う構造である。規制部２０ａと第二規制部２１ａとは、左側の床材１ａの右縁部への右側の床材１ａの左縁部の差し込み及び上記接続状態までの回転の妨げとならないように構成されている。これにより、右側の床材１ａは、左側の床材１ａに対してスムーズに接続可能である。
【００６４】
詳しくは、床材１ａの右縁部は、下端部から右斜め上方に突出した雄実部２ａと、上端部から右方に突出した雄側突条部２２ａと、雄側突条部２２ａと雄実部２ａの間に設けられる受入凹所２３ａとを備える。床材１ａの右縁部は、長手方向（前後方向）に亘って断面形状が同一である。
【００６５】
床材１ａの右縁部は、化粧材１１ａの上面の右端から右斜め下方に延びた面取り部４３と、面取り部４３の右端から左斜め下方に延びた雄側傾斜面部４４とを備える。面取り部４３は、化粧材１１ａから基材１０ａの上端部に亘っている。なお、面取り部４３は、化粧材１１ａのみに設けられてもよい。面取り部４３のうち基材１０ａの部分には、塗装等によって化粧材１１ａと同様な色柄の表面仕上処理が施されてもよい。
【００６６】
床材１ａの右縁部は、雄側傾斜面部４４の下端から左方に延びた略水平な雄側水平面部４５と、雄側水平面部４５の左端から下方に延びた略鉛直な上側面部４６を備える。床材１の右縁部は、上側面部４６の下端から右方に延びた略水平な第一上面部４７と、第一上面部４７の右端から上方に延びた略鉛直な段差面部４８と、段差面部４８の上端から右方に延びた略水平な第二上面部４９を備える。床材１の右縁部は、第二上面部４９の右端から下方に延びた略鉛直な先端面部５０と、先端面部５０の下端から左斜め下方に延びた下面部５１とを備える。段差面部４８と第二上面部４９とでなす角部５２は、略直角である。
【００６７】
雄側突条部２２ａの上面は、化粧材１１ａの上面の右端部と面取り部４３とで構成され、雄側突条部２２ａの先端面は、雄側傾斜面部４４で構成され、雄側突条部２２ａの下面は、雄側水平面部４５で構成される。雄実部２ａの上面は、第一上面部４７と段差面部４８と第二上面部４９で構成され、雄実部２ａの先端面は、先端面部５０で構成され、雄実部２ａの下面は、下面部５１と基材１０ａの下面の右端部とで構成される。受入凹所２３ａは、雄側傾斜面部４４と雄側水平面部４５と上側面部４６と第一上面部４７と段差面部４８と第二上面部４９で構成される。
【００６８】
床材１ａの左縁部は、上下方向の略中央部から右方に凹んだ雌実部３ａと、上端部から左斜め下方に突出した雌側上突条部３３ａと、下端部から左方に突出した雌側下突条部３４ａとを備える。床材１ａの左縁部は、長手方向（前後方向）に亘って断面形状が同一である。
【００６９】
床材１ａの左縁部は、化粧材１１ａの上面の左端から左斜め下方に延びた雌側傾斜面部５３と、雌側傾斜面部３５の下端から左方に延びた略水平な雌側水平面部５４とを備える。雌側傾斜面部５３は、化粧材１１ａから基材１０ａの上端部に亘っている。雌側傾斜面部５３のうち基材１０ａの部分には、塗装等によって化粧材１１ａと同様な色柄の表面仕上処理が施されてもよい。
【００７０】
床材１ａの左縁部は、雌側水平面部５４の左端から下方に延びた略鉛直な雌側上先端面部５５と、雌側上先端面部５５の下端から右方に延びた略水平な第一上側内面部５６とを備える。床材１ａの左縁部は、第一上側内面部５６の右端から右斜め上方に延びた第二上側内面部５７と、第二上側内面部５７の右端から下方に延びた略鉛直な底側内面部５８と、底側内面部５８の下端から左方に延びた略水平な下側内面部５９とを備える。さらに、床材１ａの左縁部は、下側内面部５９の左端から下方に延びた略鉛直な雌側下先端面部６０を備える。下側内面部５９と雌側下先端面部６０とでなす角部６１は、略直角である。
【００７１】
雌側上突条部３３ａの上面は、化粧材１１ａの上面の左端部と雌側傾斜面部５３と雌側水平面部５４とで構成される。雌側上突条部３３ａの先端面は、雌側上先端面部５５で構成され、雌側上突条部３３ａの下面は、第一上側内面部５６と第二上側内面部５７とで構成される。雌側下突条部３４ａの上面は、下側内面部５９で構成され、雌側下突条部３４ａの先端面は、雌側下先端面部６０で構成され、雌側下突条部３４ａの下面は、基材１０ａの下面の左端部で構成される。雌実部３ａは、第一上側内面部５６と第二上側内面部５７と底側内面部５８と下側内面部５９とで構成される。
【００７２】
以上説明した左右の縁部を備える床材１ａを２枚、左右方向に並べて接続した接続構造では、床下地４ａ（下地シート１３ａ及び下地材１２ａ）上において、左側の床材１ａの右縁部と、右側の床材１ａの左縁部とが嵌り合う。
【００７３】
上記接続構造では、左側の床材１ａの雄実部２ａと、右側の床材１ａの雌実部３ａとが嵌り合う。このとき、雄実部２ａの角部５２が、雌実部３ａの第二上側内面部５７に線接触し、雄実部２ａの下面部５１が、雌実部３ａの角部６１に線接触する。またこのとき、雄実部２ａの先端面部５０と、雌実部３ａの底側内面部５８とは、隙間を介して略平行に位置する。
【００７４】
本実施形態では、規制部２０ａは、雄実部２ａの角部５２であり、第二規制部２１ａは、雄実部２ａの下面部５１のうちの、雌実部３ａの角部６１に接触する部分である。
【００７５】
また、上記接続構造では、左側の床材１ａの受入凹所２３ａに、右側の床材１ａの雌側上突条部３３ａが収まる。このとき、左側の床材１ａの雄側傾斜面部４４と、右側の床材１ａの雌側傾斜面部５３とが、隙間を介して略平行に位置し、左側の床材１ａの雄側水平面部４５と、右側の床材１ａの雌側水平面部５４とが、隙間を介して略平行に位置する。またこのとき、左側の床材１ａの上側面部４６と、右側の床材１ａの雌側上先端面部５５とが、隙間を介して略平行に位置し、左側の床材１ａの第一上側内面部５６と、右側の床材１ａの第一上面部４７とが、隙間を介して略平行に位置する。また、上記接続構造では、左側の床材１ａの雄実部２ａの下方の空間に、右側の床材１ａの雌側下突条部３４ａが収まる。
【００７６】
以上のように接続された本実施形態の床材１ａの接続構造においても、左右の床材１ａのそれぞれが、無機材料を主材とするため、放湿時の床材１ａの収縮と、吸湿時の床材１ａの拡張を抑制することができる。そのため、この接続構造では、左右の床材１ａが収縮により水平方向に離間して、左右の床材１ａ間の目隙が拡がることと、左右の床材１ａが拡張により水平方向に近接して、左右の床材１ａの接続部分に突き上げが生じることとを、材料面で抑制することができる。さらに、本実施形態の床材１ａの接続構造では、雄実部２ａと雌実部３ａを引っ掛かって離間を規制するように構成しているため、構造面からも目隙が拡がることを抑制することができる。そして、本実施形態の床材１ａの接続構造では、雄実部２ａと雌実部３ａの靱性を高めることで、引っ掛かる部分（雄実部２ａ及び雌実部３ａ）の破壊を抑制することができる。このように、本実施形態の床材１ａの接続構造では、接続部分の目隙の拡がりと突き上げの発生を効果的に抑制し、かつ実の破壊を抑制することができる。
【００７７】
また、本実施形態の床材１ａの接続構造では、左側の床材１ａの雄実部２ａの第二規制部２１ａにより、左右の床材１ａの水平方向の近接を規制して、左右の床材１ａの接続部分に突き上げが生じることを構造面からも抑制することができる。また、この接続構造では、左側の床材１ａの雄実部２ａの規制部２０ａと第二規制部２１ａがそれぞれ、右側の床材１ａの雌実部３ａに線接触するように構成されているため、雌実部３ａに対しての雄実部２ａの接続作業をスムーズに行うことができる。つまり、左側の床材１ａの雄実部２ａに対して、右側の床材１ａの雌実部３ａを差し込みながら回転させる際に、規制部２０ａ及び第二規制部２１ａが差し込み及び回転の妨げとなりにくい。
【００７８】
また、前後に２枚並べて接続した床材１ａの接続構造は、上述した左右に２枚並べて接続した接続構造と同様であり、同様の作用効果が得られる。
【００７９】
また、上述した第二実施形態の床材１ａの接続構造についても、第一実施形態の床材１の接続構造と同様の変更例が採用可能である。
【００８０】
（第三実施形態）
続いて、図４Ａ，Ｂに示す本発明の第三実施形態の床材１ｂの接続構造について説明する。本実施形態の床材１ｂは、第一実施形態の床材１とは、左右の縁部及び前後の縁部の形状が異なり、その他の構造は、同様である。本実施形態においても、床材１ｂの左縁部と前縁部とは長手方向に直交する断面形状が同一であり、床材１ｂの右縁部と後縁部とは長手方向に直交する断面形状が同一である。以下では、床材１ｂの右縁部と左縁部について詳しく説明する。
【００８１】
床材１ｂの左右の縁部は、２枚の床材１ｂを接続する際に、左側の床材１ｂに対して右側の床材１ｂを傾けた姿勢で、左側の床材１ｂの右縁部に右側の床材１ｂの左縁部を差し込みながら、右側の床材１ｂを、左側の床材１ｂと上面同士が面一となる接続状態まで回転させることが可能な形状に設けられている。２枚の床材１ｂは、接続状態において、左側の床材１ｂの雄実部２ｂの規制部２０ｂと第二規制部２１ｂがそれぞれ、右側の床材１ｂの雌実部３ｂに線接触することで嵌り合う構造である。規制部２０ｂと第二規制部２１ｂとは、左側の床材１ｂの右縁部への右側の床材１ｂの左縁部の差し込み及び上記接続状態までの回転の妨げとならないように構成されている。これにより、右側の床材１ｂは、左側の床材１ｂに対してスムーズに接続可能である。
【００８２】
詳しくは、床材１ｂの右縁部は、下端部から右斜め上方に突出した雄実部２ｂと、上端部から右方に突出した雄側突条部２２ｂと、雄側突条部２２ｂと雄実部２ｂの間に設けられる受入凹所２３ｂとを備える。床材１ｂの右縁部は、長手方向（前後方向）に亘って断面形状が同一である。
【００８３】
床材１ｂの右縁部は、化粧材１１ｂの上面の右端から右斜め下方に延びた面取り部６２と、面取り部６２の右端から左斜め下方に延びた雄側傾斜面部６３とを備える。面取り部６２は、化粧材１１ｂから基材１０ｂの上端部に亘っている。なお、面取り部６２は、化粧材１１ｂのみに設けられてもよい。面取り部６２のうち基材１０ｂの部分には、塗装等によって化粧材１１ｂと同様な色柄の表面仕上処理が施されてもよい。
【００８４】
床材１ｂの右縁部は、雄側傾斜面部６３の下端から左方に延びた略水平な雄側水平面部６４と、雄側水平面部６４の左端から下方に延びた略鉛直な上側面部６５とを備える。床材１の右縁部は、上側面部６５の下端から右方に延びた略水平な第一上面部６６と、第一上面部６６の右端から右斜め上方に延びた第二上面部６７とを備える。床材１の右縁部は、第二上面部６７の右端から下方に延びた略鉛直な先端面部６８と、先端面部６８の下端から左斜め下方に延びた下面部６９とを備える。
【００８５】
雄側突条部２２ｂの上面は、化粧材１１ａの上面の右端部と面取り部６２とで構成され、雄側突条部２２ｂの先端面は、雄側傾斜面部６３で構成され、雄側突条部２２ｂの下面は、雄側水平面部６４で構成される。雄実部２ｂの上面は、第一上面部６６と第二上面部６７とで構成され、雄実部２ｂの先端面は、先端面部６８で構成され、雄実部２ｂの下面は、下面部６９と基材１０ｂの下面の右端部とで構成される。受入凹所２３ｂは、雄側傾斜面部６３と雄側水平面部６４と上側面部６５と第一上面部６６と第二上面部６７とで構成される。
【００８６】
床材１ｂの左縁部は、上下方向の略中央部から右方に凹んだ雌実部３ｂと、上端部から左斜め下方に突出した雌側上突条部３３ｂと、下端部から左方に突出した雌側下突条部３４ｂとを備える。床材１ｂの左縁部は、長手方向（前後方向）に亘って断面形状が同一である。
【００８７】
床材１ｂの左縁部は、化粧材１１ｂの上面の左端から左斜め下方に延びた雌側傾斜面部７０と、雌側傾斜面部７０の下端から左方に延びた略水平な雌側水平面部７１とを備える。雌側傾斜面部７０は、化粧材１１ｂから基材１０ｂの上端部に亘っている。雌側傾斜面部７０のうち基材１０ｂの部分には、塗装等によって化粧材１１ｂと同様な色柄の表面仕上処理が施されてもよい。
【００８８】
床材１ｂの左縁部は、雌側水平面部７１の左端から下方に延びた略鉛直な雌側上先端面部７２と、雌側上先端面部７２の下端から右方に延びた略水平な第一上側内面部７３とを備える。床材１ｂの左縁部は、第一上側内面部７３の右端から右斜め上方に延びた第二上側内面部７４と、第二上側内面部７４の右端から下方に延びた略鉛直な底側内面部７５とを備える。床材１ｂの左縁部は、底側内面部７５の下端から左方に延びた略水平な下側内面部７６と、下側内面部７６の左端から下方に延びた略鉛直な雌側下先端面部７７とを備える。第一上側内面部７３と第二上側内面部７４とでなす角部７８は、鈍角である。下側内面部７６と雌側下先端面部７７とでなす角部７９は、略直角である。
【００８９】
雌側上突条部３３ｂの上面は、化粧材１１ｂの上面の左端部と雌側傾斜面部７０と雌側水平面部７１とで構成され、雌側上突条部３３ｂの先端面は、雌側上先端面部７２で構成される。雌側上突条部３３ｂの下面は、第一上側内面部７３と第二上側内面部７４とで構成される。雌側下突条部３４ｂの上面は、下側内面部７６で構成され、雌側下突条部３４ｂの先端面は、雌側下先端面部７７で構成され、雌側下突条部３４ｂの下面は、基材１０ｂの下面の左端部で構成される。雌実部３ｂは、第一上側内面部７３と第二上側内面部７４と底側内面部７５と下側内面部７６とで構成される。
【００９０】
以上説明した左右の縁部を備える床材１ｂを２枚、左右方向に並べて接続した接続構造では、床下地４ｂ（下地シート１３ｂ及び下地材１２ｂ）上において、左側の床材１ｂの右縁部と、右側の床材１ｂの左縁部とが嵌り合う。
【００９１】
上記接続構造では、左側の床材１ｂの雄実部２ｂと、右側の床材１ｂの雌実部３ｂとが嵌り合う。このとき、雄実部２ｂの第二上面部６７が、雌実部３ｂの角部７８に線接触し、雄実部２ｂの下面部６９が、雌実部３ｂの角部７９に線接触する。またこのとき、雄実部２ｂの先端面部６８と、雌実部３ｂの底側内面部７５とは、隙間を介して略平行に位置する。
【００９２】
本実施形態では、規制部２０ｂは、雄実部２ｂの第二上面部６７のうちの、雌実部３ｂの角部７８が接触する部分であり、第二規制部２１ｂは、雄実部２ｂの下面部６９のうちの、雌実部３ｂの角部７９が接触する部分である。
【００９３】
また、上記接続構造では、左側の床材１ｂの受入凹所２３ｂに、右側の床材１ｂの雌側上突条部３３ｂが収まる。このとき、左側の床材１ｂの雄側傾斜面部６３と、右側の床材１ｂの雌側傾斜面部７０とが、隙間を介して略平行に位置し、左側の床材１ｂの雄側水平面部６４と、右側の床材１ｂの雌側水平面部７１とが、隙間を介して略平行に位置する。またこのとき、左側の床材１ｂの上側面部６５と、右側の床材１ｂの雌側上先端面部７２とが、隙間を介して略平行に位置し、左側の床材１ｂの第一上面部６６と、右側の床材１ｂの第一上側内面部７３とが、隙間を介して略平行に位置する。また、上記接続構造では、左側の床材１ｂの雄実部２ｂの下方の空間に、右側の床材１ｂの雌側下突条部３４ｂが収まる。
【００９４】
以上のように接続された本実施形態の床材１ｂの接続構造においても、左右の床材１ｂのそれぞれが、無機材料を主材とするため、放湿時の床材１ｂの収縮と、吸湿時の床材１ｂの拡張を抑制することができる。そのため、この接続構造では、左右の床材１ｂが収縮により水平方向に離間して、左右の床材１ｂ間の目隙が拡がることと、左右の床材１ｂが拡張により水平方向に近接して、左右の床材１ｂの接続部分に突き上げが生じることとを、材料面で抑制することができる。さらに、本実施形態の床材１ｂの接続構造では、雄実部２ｂと雌実部３ｂを引っ掛かって離間を規制するように構成しているため、構造面からも目隙が拡がることを抑制することができる。そして、本実施形態の床材１ｂの接続構造では、雄実部２ｂと雌実部３ｂの靱性を高めることで、引っ掛かる部分（雄実部２ｂ及び雌実部３ｂ）の破壊を抑制することができる。このように、本実施形態の床材１ｂの接続構造では、接続部分の目隙の拡がりと突き上げの発生を効果的に抑制し、かつ実の破壊を抑制することができる。
【００９５】
また、本実施形態の床材１ｂの接続構造では、左側の床材１ｂの雄実部２ｂの第二規制部２１ｂにより、左右の床材１ｂの水平方向の近接を規制して、左右の床材１ｂの接続部分に突き上げが生じることを構造面からも抑制することができる。また、この接続構造では、左側の床材１ｂの雄実部２ｂの規制部２０ｂと第二規制部２１ｂがそれぞれ、右側の床材１ｂの雌実部３ｂに線接触するように構成されているため、雌実部３ｂに対しての雄実部２ｂの接続作業をスムーズに行うことができる。つまり、左側の床材１ｂの雄実部２ｂに対して、右側の床材１ｂの雌実部３ｂを差し込みながら回転させる際に、規制部２０ｂ及び第二規制部２１ｂが差し込み及び回転の妨げとなりにくい。
【００９６】
また、前後に２枚並べて接続した床材１ｂの接続構造は、上述した左右に２枚並べて接続した床材１ｂの接続構造と同様であり、同様の作用効果が得られる。
【００９７】
また、上述した第三実施形態の床材１ｂの接続構造についても、第一実施形態の床材１の接続構造と同様の変更例が採用可能である。
【００９８】
（第四実施形態）
続いて、図５Ａ，Ｂに示す本発明の第四実施形態の床材１ｃの接続構造について説明する。本実施形態の床材１ｃは、第一実施形態の床材１とは、左右の縁部及び前後の縁部の形状が異なり、その他の構造は、同様である。本実施形態においても、床材１ｃの左縁部と前縁部とは長手方向に直交する断面形状が同一であり、床材１ｃの右縁部と後縁部とは長手方向に直交する断面形状が同一である。以下では、床材１ｃの右縁部と左縁部について詳しく説明する。
【００９９】
床材１ｃの左右の縁部は、２枚の床材１ｃを接続する際に、左側の床材１ｃに対して右側の床材１ｃを傾けた姿勢で、左側の床材１ｃの右縁部に右側の床材１ｃの左縁部を差し込みながら、右側の床材１ｃを、左側の床材１ｃと上面同士が面一となる姿勢まで回転させることが可能な形状に設けられている。２枚の床材１ｃは、接続状態において、右側の床材１ｃの雄実部２ｃの規制部２０ｃと第二規制部２１ｃとがそれぞれ、左側の床材１ｃの雌実部３ｃに線接触することで嵌り合う構造である。規制部２０ｃと第二規制部２１ｃは、左側の床材１ｃの右縁部への右側の床材１ｃの左縁部の差し込み及び上記接続状態までの回転の妨げとならないように構成されている。これにより、右側の床材１ｃは、左側の床材１ｃに対してスムーズに接続可能である。
【０１００】
詳しくは、床材１ｃの左縁部は、左方に突出した雄実部２ｃを備える。床材１ｃの左縁部は、長手方向（前後方向）に亘って断面形状が同一である。
【０１０１】
床材１ｃの左縁部は、化粧材１１ｂの上面の左端から左斜め下方に延びた雄側傾斜面部８０と、雄側傾斜面部８０の下端から左方に延びた略水平な第一上面部８１とを備える。雄側傾斜面部８０は、化粧材１１ｃから基材１０ｃの上端部に亘っている。雄側傾斜面部８０のうち基材１０ｃの部分には、塗装等によって化粧材１１ｃと同様な色柄の表面仕上処理が施されてもよい。
【０１０２】
床材１ｃの左縁部は、第一上面部８１の左端から上方に延びた略鉛直な段差部８２と、段差部８２の上端から左方に延びた略水平な第二上面部８３とを備える。床材１ｃの左縁部は、第二上面部８３の左端から下方に延びた略鉛直な先端面部８４と、先端面部８４の下端から右方に延びた略水平な第一下面部８５と、第一下面部８５の右端から右斜め下方に延びた第二下面部８６とを備える。段差部８２と第二上面部８３とでなす角部８７は、略直角である。
【０１０３】
雄実部２ｃの上面は、雄側傾斜面部８０と第一上面部８１と段差部８２と第二上面部８３とで構成され、雄実部２ｃの先端面は、先端面部８４で構成され、雄実部２ｃの下面は、第一下面部８５と第二下面部８６とで構成される。
【０１０４】
床材１ｃの右縁部は、上下方向の略中央部から左方に凹んだ雌実部３ｃと、上端部から右方に突出した雌側上突条部３３ｃと、下端部から右方に突出した雌側下突条部３４ｃとを備える。床材１ｃの右縁部は、長手方向（前後方向）に亘って断面形状が同一である。
【０１０５】
床材１ｃの右縁部は、化粧材１１ｃの上面の右端から右斜め下方に延びた面取り部８８と、面取り部８８の右端から左斜め下方に延びた雌側傾斜面部８９とを備える。面取り部８８は、化粧材１１ｃから基材１０ｃの上端部に亘っている。なお、面取り部８８は、化粧材１１ｃのみに設けられてもよい。面取り部８８のうち基材１０ｃの部分には、塗装等によって化粧材１１ｃと同様な色柄の表面仕上処理が施されてもよい。
【０１０６】
床材１ｃの右縁部は、雌側傾斜面部８９の下端から左斜め上方に延びた第一上側内面部９０と、第一上側内面部９０の左端から左方に延びた略水平な第二上側内面部９１とを備える。床材１ｃの右縁部は、第二上側内面部９１の左端から下方に延びた略鉛直な底側内面部９２と、底側内面部９２の下端から右方に延びた略水平な下側内面部９３と、下側内面部９３の右端から下方に延びた略鉛直な雌側下先端面部９４とを備える。下側内面部９３と雌側下先端面部９４とでなす角部９５は、略直角である。
【０１０７】
雌側上突条部３３ｃの上面は、化粧材１１ｃの上面の右端部で構成され、雌側上突条部３３ｂの先端面は、面取り部８８で構成され、雌側上突条部３３ｃの下面は、雌側傾斜面部８９と第一上側内面部９０と第二上側内面部９１とで構成される。雌側下突条部３４ｃの上面は、下側内面部９３で構成され、雌側下突条部３４ｃの先端面は、雌側下先端面部９４で構成され、雌側下突条部３４ｃの下面は、基材１０ｃの下面の左端部で構成される。雌実部３ｃは、第一上側内面部９０と第二上側内面部９１と底側内面部９２と下側内面部９３とで構成される。
【０１０８】
以上説明した左右の縁部を備える床材１ｃを２枚、左右方向に並べて接続した接続構造では、床下地４ｃ（下地シート１３ｃ及び下地材１２ｃ）上において、左側の床材１ｃの右縁部と、右側の床材１ｃの左縁部とが嵌り合う。
【０１０９】
上記接続構造では、右側の床材１ｃの雄実部２ｃと、左側の床材１ｃの雌実部３ｃとが嵌り合う。このとき、雄実部２ｃの角部８７が、雌実部３ｃの第一上側内面部９０に線接触し、雄実部２ｃの第二下面部８６が、雌実部３ｃの角部９５に線接触する。またこのとき、雄実部２ｃの先端面部８４と、雌実部３ｃの底側内面部９２とは、隙間を介して略平行に位置する。
【０１１０】
本実施形態では、規制部２０ｃは、雄実部２ｃの角部８７であり、第二規制部２１ｃは、雄実部２ｃの第二下面部８６のうちの、雌実部３ｃの角部９５に接触する部分である。
【０１１１】
また、上記接続構造では、右側の床材１ｃの雄側傾斜面部８０と、左側の床材１ｃの雌側傾斜面部８９とが、隙間を介して略平行に位置し、右側の床材１ｃの先端面部８４と、左側の床材１ｃの底側内面部９２とが、隙間を介して略平行に位置する。
【０１１２】
また、上記接続構造では、右側の床材１ｃの雄実部２ｃの上方の空間に、左側の床材１ｃの雌側上突条部３３ｃが収まり、右側の床材１ｃの雄実部２ｃの下方の空間に、左側の床材１ｃの雌側下突条部３４ｃが収まる。
【０１１３】
以上のように接続された本実施形態の床材１ｃの接続構造においても、左右の床材１ｃのそれぞれが、無機材料を主材とするため、放湿時の床材１ｃの収縮と、吸湿時の床材１ｃの拡張を抑制することができる。そのため、この接続構造では、左右の床材１ｃが収縮により水平方向に離間して、左右の床材１ｃ間の目隙が拡がることと、左右の床材１ｃが拡縮により水平方向に近接して、左右の床材１ｃの接続部分に突き上げが生じることとを、材料面で抑制することができる。さらに、本実施形態の床材１ｃの接続構造では、雄実部２ｃと雌実部３ｃを引っ掛かって離間を規制するように構成しているため、構造面からも目隙が拡がることを抑制することができる。そして、本実施形態の床材１ｃの接続構造では、雄実部２ｃと雌実部３ｃの靱性を高めることで、引っ掛かる部分（雄実部２ｃ及び雌実部３ｃ）の破壊を抑制することができる。このように、本実施形態の床材１ｃの接続構造では、接続部分の目隙の拡がりと突き上げの発生を効果的に抑制し、かつ実の破壊を抑制することができる。
【０１１４】
また、本実施形態の床材１ｃの接続構造では、右側の床材１ｃの雄実部２ｃの第二規制部２１ｃにより、左右の床材１ｃの水平方向の近接を規制して、左右の床材１ｃの接続部分に突き上げが生じることを構造面からも抑制することができる。また、この接続構造では、右側の床材１ｃの雄実部２ｃの規制部２０ｃと第二規制部２１ｃがそれぞれ、左側の床材１ｃの雌実部３ｃに線接触するように構成されているため、雌実部３ｃに対しての雄実部２ｃの接続作業をスムーズに行うことができる。つまり、左側の床材１ｃの雌実部３ｃに対して、右側の床材１ｃの雄実部２ｃを差し込みながら回転させる際に、規制部２０ｃ及び第二規制部２１ｃが差し込み及び回転の妨げとなりにくい。
【０１１５】
また、前後に２枚並べて接続した床材１ｃの接続構造は、上述した左右に２枚並べて接続した床材１ｃの接続構造と同様であり、同様の作用効果が得られる。
【０１１６】
また、上述した第四実施形態の床材１ｃの接続構造についても、第一実施形態の床材１の接続構造と同様の変更例が採用可能である。
【０１１７】
以上まとめると、第一乃至第四実施形態の床材（１，１ａ，１ｂ，１ｃ）は、以下の構成を備えることを特徴とする。
【０１１８】
すなわち、第一乃至第四実施形態の床材（１，１ａ，１ｂ，１ｃ）は、無機材料を主材とし、規制部（２０，２０ａ，２０ｂ，２０ｃ）を有する雄実部（２，２ａ，２ｂ，２ｃ）と、雌実部（３，３ａ，３ｂ，３ｃ）とを備える。雄実部（２，２ａ，２ｂ，２ｃ）と雌実部（３，３ａ，３ｂ，３ｃ）は、床材（１，１ａ，１ｂ，１ｃ）を２枚並べて接続させた状態において、一方の床材（１，１ａ，１ｂ，１ｃ）の雄実部（２，２ａ，２ｂ，２ｃ）と他方の床材（１，１ａ，１ｂ，１ｃ）の雌実部（３，３ａ，３ｂ，３ｃ）とが嵌め合わさり、規制部（２０，２０ａ，２０ｂ，２０ｃ）が雌実部（３，３ａ，３ｂ，３ｃ）に引っ掛かって２枚の床材（１，１ａ，１ｂ，１ｃ）の水平方向の離間を規制するように構成されている。床材（１，１ａ，１ｂ，１ｃ）の雄実部（２，２ａ，２ｂ，２ｃ）と雌実部（３，３ａ，３ｂ，３ｃ）を含む部分に、樹脂（５，５ａ，５ｂ，５ｃ）が含浸している。
【０１１９】
上記の構成のように、第一乃至第四実施形態の床材（１，１ａ，１ｂ，１ｃ）は、主材を無機材料とすることで、主材を木質材料とする場合に比べて、放湿時の収縮と、吸湿時の拡張を抑制することができる。これにより、第一乃至第四実施形態の床材（１，１ａ，１ｂ，１ｃ）は、２枚並べて接続した状態で、２枚の床材（１，１ａ，１ｂ，１ｃ）が収縮により水平方向に離間して目隙が拡がることを、材料面から抑制することができる。そして、第一乃至第四実施形態の床材（１，１ａ，１ｂ，１ｃ）は、２枚並べて接続した状態で、２枚の床材（１，１ａ，１ｂ，１ｃ）が拡張により水平方向に近接して接続部分に突き上げが生じることを、材料面から抑制することができる。さらに、第一乃至第四実施形態の床材（１，１ａ，１ｂ，１ｃ）は、雄実部（２，２ａ，２ｂ，２ｃ）と雌実部（３，３ａ，３ｂ，３ｃ）を、床材（１，１ａ，１ｂ，１ｃ）を２枚接続した状態において引っ掛かって離間を規制するように構成している。これにより、第一乃至第四実施形態の床材（１，１ａ，１ｂ，１ｃ）は、２枚並べて接続した状態で、２枚の床材（１，１ａ，１ｂ，１ｃ）間の目隙の拡がりを構造面からも抑制することができる。そして、第一乃至第四実施形態の床材（１，１ａ，１ｂ，１ｃ）は、雄実部（２，２ａ，２ｂ，２ｃ）と雌実部（３，３ａ，３ｂ，３ｃ）を含む部分を、樹脂（５，５ａ，５ｂ，５ｃ）が含浸した無機材料で構成して靱性を高めている。そのため、第一乃至第四実施形態の床材（１，１ａ，１ｂ，１ｃ）は、２枚並べて接続した状態で、引っ掛かる部分（雄実部（２，２ａ，２ｂ，２ｃ）と雌実部（３，３ａ，３ｂ，３ｃ））の破壊を抑制することができる。このように、第一乃至第四実施形態の床材（１，１ａ，１ｂ，１ｃ）は、２枚並べて接続した状態において、接続部分の目隙の拡がりと突き上げの発生を効果的に抑制し、かつ実の破壊を抑制することができる。
【０１２０】
さらに、第一乃至第四実施形態の床材（１，１ａ，１ｂ，１ｃ）は、上記の構成に加えて、下記の構成を付加的に備える。
【０１２１】
すなわち、第一乃至第四実施形態の床材（１，１ａ，１ｂ，１ｃ）では、雄実部（２，２ａ，２ｂ，２ｃ）は、床材（１，１ａ，１ｂ，１ｃ）を２枚並べて接続させた状態において、規制部（２０，２０ａ，２０ｂ，２０ｃ）が雌実部（３，３ａ，３ｂ，３ｃ）に線接触して引っ掛かるように構成されている。
【０１２２】
上記の付加的な構成を備えることで、第一乃至第四実施形態の床材（１，１ａ，１ｂ，１ｃ）は、２枚並べて接続する際に、雌実部（３，３ａ，３ｂ，３ｃ）に対しての雄実部（２，２ａ，２ｂ，２ｃ）の接続作業（差し込みや回転）をスムーズに行うことができる。
【０１２３】
さらに、第一乃至第四実施形態の床材（１，１ａ，１ｂ，１ｃ）は、上記の構成に加えて、下記の構成を付加的に備える。
【０１２４】
すなわち、第一乃至第四実施形態の床材（１，１ａ，１ｂ，１ｃ）では、雄実部（２，２ａ，２ｂ，２ｃ）は、第二規制部（２１，２１ａ，２１ｂ，２１ｃ）をさらに有する。第二規制部（２１，２１ａ，２１ｂ，２１ｃ）は、床材（１，１ａ，１ｂ，１ｃ）を２枚並べて接続させた状態において、雌実部（３，３ａ，３ｂ，３ｃ）に当たって２枚の床材（１，１ａ，１ｂ，１ｃ）の水平方向の近接を規制するように構成されている。
【０１２５】
上記の付加的な構成を備えることで、第一乃至第四実施形態の床材（１，１ａ，１ｂ，１ｃ）では、２枚並べて接続する際に、第二規制部（２１，２１ａ，２１ｂ，２１ｃ）によって、２枚の床材（１，１ａ，１ｂ，１ｃ）の水平方向の近接を規制することができる。これにより、第一乃至第四実施形態の床材（１，１ａ，１ｂ，１ｃ）では、２枚の床材（１，１ａ，１ｂ，１ｃ）の接続部分に突き上げが生じることを構造面からも抑制することができる。
【０１２６】
さらに、第一乃至第四実施形態の床材（１，１ａ，１ｂ，１ｃ）は、上記の構成に加えて、下記の構成を付加的に備える。
【０１２７】
すなわち、第一乃至第四実施形態の床材（１，１ａ，１ｂ，１ｃ）では、第二規制部（２１，２１ａ，２１ｂ，２１ｃ）は、床材（１，１ａ，１ｂ，１ｃ）を２枚並べて接続させた状態において、雌実部（３，３ａ，３ｂ，３ｃ）に線接触するように構成されている。
【０１２８】
上記の付加的な構成を備えることで、第一乃至第四実施形態の床材（１，１ａ，１ｂ，１ｃ）は、２枚並べて接続する際に、雌実部（３，３ａ，３ｂ，３ｃ）に対しての雄実部（２，２ａ，２ｂ，２ｃ）の接続作業（差し込みや回転）をスムーズに行うことができる。
【０１２９】
また、第一乃至第四実施形態の床材（１，１ａ，１ｂ，１ｃ）の接続構造は、以下の構成を備えることを特徴とする。
【０１３０】
すなわち、第一乃至第四実施形態の床材（１，１ａ，１ｂ，１ｃ）の接続構造は、無機材料を主材とし雄実部（２，２ａ，２ｂ，２ｃ）を備える第一床材（１，１ａ，１ｂ，１ｃ）と、無機材料を主材とし雌実部（３，３ａ，３ｂ，３ｃ）を備える第二床材（１，１ａ，１ｂ，１ｃ）とが、雄実部（２，２ａ，２ｂ，２ｃ）と雌実部（３，３ａ，３ｂ，３ｃ）が嵌め合わさって接続された構造である。雄実部（２，２ａ，２ｂ，２ｃ）は、雌実部（３，３ａ，３ｂ，３ｃ）に引っ掛かって第一床材（１，１ａ，１ｂ，１ｃ）と第二床材（１，１ａ，１ｂ，１ｃ）の水平方向の離間を規制する規制部（２０，２０ａ，２０ｂ，２０ｃ）を有する。第一床材（１，１ａ，１ｂ，１ｃ）の雄実部（２，２ａ，２ｂ，２ｃ）を含む部分と、第二床材（１，１ａ，１ｂ，１ｃ）の雌実部（３，３ａ，３ｂ，３ｃ）を含む部分に、それぞれ樹脂（５，５ａ，５ｂ，５ｃ）が含浸している。
【０１３１】
上記の構成のように、第一乃至第四実施形態の床材（１，１ａ，１ｂ，１ｃ）の接続構造は、第一床材（１，１ａ，１ｂ，１ｃ）と第二床材（１，１ａ，１ｂ，１ｃ）の主材を、無機材料としている。そのため、第一乃至第四実施形態の床材（１，１ａ，１ｂ，１ｃ）の接続構造は、主材が木質材料の場合に比べて、放湿時の第一及び第二床材（１，１ａ，１ｂ，１ｃ）の収縮と、吸湿時の第一及び第二床材（１，１ａ，１ｂ，１ｃ）の拡張を抑制することができる。これにより、第一乃至第四実施形態の床材（１，１ａ，１ｂ，１ｃ）の接続構造は、第一及び第二床材（１，１ａ，１ｂ，１ｃ）の収縮による水平方向の離間を抑制して目隙が拡がることを、材料面から抑制することができる。そして、第一乃至第四実施形態の床材（１，１ａ，１ｂ，１ｃ）の接続構造は、第一及び第二床材（１，１ａ，１ｂ，１ｃ）の拡縮による水平方向の近接を抑制して接続部分の突き上げの発生を、材料面から抑制することができる。さらに、第一乃至第四実施形態の床材（１，１ａ，１ｂ，１ｃ）の接続構造は、雄実部（２，２ａ，２ｂ，２ｃ）を雌実部（３，３ａ，３ｂ，３ｃ）に引っ掛かって離間を規制する構造としている。これにより、第一乃至第四実施形態の床材（１，１ａ，１ｂ，１ｃ）の接続構造では、構造面からも目隙の拡がりを抑制することができる。そして、第一乃至第四実施形態の床材（１，１ａ，１ｂ，１ｃ）の接続構造では、雄実部（２，２ａ，２ｂ，２ｃ）を含む部分と、雌実部（３，３ａ，３ｂ，３ｃ）を含む部分を、樹脂（５，５ａ，５ｂ，５ｃ）が含浸した無機材料で構成して靱性を高めている。そのため、第一乃至第四実施形態の床材（１，１ａ，１ｂ，１ｃ）の接続構造では、引っ掛かる部分（雄実部（２，２ａ，２ｂ，２ｃ）と雌実部（３，３ａ，３ｂ，３ｃ））の破壊を抑制することができる。このように、第一乃至第四実施形態の床材（１，１ａ，１ｂ，１ｃ）の接続構造では、接続部分の目隙の拡がりと突き上げの発生を効果的に抑制し、かつ実の破壊を抑制することができる。
【０１３２】
さらに、第一乃至第四実施形態の床材（１，１ａ，１ｂ，１ｃ）の接続構造は、上記の構成に加えて、下記の構成を付加的に備える。
【０１３３】
すなわち、第一乃至第四実施形態の床材（１，１ａ，１ｂ，１ｃ）の接続構造では、規制部（２０，２０ａ，２０ｂ，２０ｃ）は、雌実部（３，３ａ，３ｂ，３ｃ）に線接触して引っ掛かるように構成されている。
【０１３４】
上記の付加的な構成を備えることで、第一乃至第四実施形態の床材（１，１ａ，１ｂ，１ｃ）の接続構造では、２枚並べて接続する際に、雌実部（３，３ａ，３ｂ，３ｃ）に対しての雄実部（２，２ａ，２ｂ，２ｃ）の接続作業（差し込みや回転）をスムーズに行うことができる。
【０１３５】
さらに、第一乃至第四実施形態の床材（１，１ａ，１ｂ，１ｃ）の接続構造は、上記の構成に加えて、下記の構成を付加的に備える。
【０１３６】
すなわち、第一乃至第四実施形態の床材（１，１ａ，１ｂ，１ｃ）の接続構造では、雄実部（２，２ａ，２ｂ，２ｃ）は、雌実部（３，３ａ，３ｂ，３ｃ）に当たって第一床材（１，１ａ，１ｂ，１ｃ）と第二床材（１，１ａ，１ｂ，１ｃ）の水平方向の近接を規制する第二規制部（２１，２１ａ，２１ｂ，２１ｃ）をさらに有する。
【０１３７】
上記の付加的な構成を備えることで、第一乃至第四実施形態の床材（１，１ａ，１ｂ，１ｃ）の接続構造では、第二規制部（２１，２１ａ，２１ｂ，２１ｃ）によって、第一及び第二床材（１，１ａ，１ｂ，１ｃ）の水平方向の近接を規制することができる。これにより、第一乃至第四実施形態の床材（１，１ａ，１ｂ，１ｃ）の接続構造では、第一及び第二床材（１，１ａ，１ｂ，１ｃ）の接続部分に突き上げが生じることを構造面からも抑制することができる。
【０１３８】
さらに、第一乃至第四実施形態の床材（１，１ａ，１ｂ，１ｃ）の接続構造は、上記の構成に加えて、下記の構成を付加的に備える。
【０１３９】
すなわち、第一乃至第四実施形態の床材（１，１ａ，１ｂ，１ｃ）の接続構造では、第二規制部（２１，２１ａ，２１ｂ，２１ｃ）は、雌実部（３，３ａ，３ｂ，３ｃ）に線接触するように構成されている。
【０１４０】
上記の付加的な構成を備えることで、第一乃至第四実施形態の床材（１，１ａ，１ｂ，１ｃ）の接続構造では、２枚並べて接続する際に、雌実部（３，３ａ，３ｂ，３ｃ）に対しての雄実部（２，２ａ，２ｂ，２ｃ）の接続作業（差し込みや回転）をスムーズに行うことができる。
【０１４１】
以上、本発明を添付図面に示す実施形態に基づいて説明したが、本発明は上記の実施形態に限定されるものではなく、本発明の意図する範囲内であれば、適宜の設計変更が可能である。
【０１４２】
以下、本発明の床材１の実施例について説明する。なお、本実施例は一例であり、本発明は、本実施例に限定されない。
【０１４３】
（実施例）
図１の縁構造（雄実部、雌実部等）を形成した９ｍｍ厚さのケイ酸カルシウム板に、粘度２０ｍＰｓのウレタン樹脂（コニシ株式会社製「ＫＵ６６２」）を、表面（上面）及び裏面（下面）から１ｍ２あたり計１ｋｇ含浸し、加熱乾燥して、実施例の床材を用意した。
【０１４４】
（比較例）
上述した実施例の床材において、ウレタン樹脂を含浸していないものを比較例１の床材とした。また、９．１ｍｍ厚さの合板の上に２．７ｍｍ厚さのＭＤＦ（中密度繊維板）を貼り付け、図１と同様の縁構造（雄実部、雌実部等）を形成したものを比較例２の床材とした。
【０１４５】
実施例の床材と比較例１、２の床材について、雄実部にバングマシンにより４０００Ｎの負荷をかけた際の破壊の有無の評価を行った。また、実施例の床材と比較例１、２の床材について、ステープルや接着剤を用いずに床下地に床材を載置し、温度４０℃、相対湿度９０％の高温多湿環境下に１週間放置した際の不具合の有無の評価を行った。また、実施例の床材と比較例１、２の床材について、床下地に表面温度４０℃の温水マットを敷設し、その上に床材を載置し、１０００時間放置した際の不具合の有無の評価を行った。評価結果を表１に示す。
【０１４６】
【表１】
2017110475.tif 000003
【０１４７】
表１の評価結果から、比較例１の床材は、高温多湿環境下での不具合、及び床暖房使用時の不具合は見られなかったが、実部が樹脂で補強されていないので、バングマシンにより負荷をかけた場合に実部に欠けが生じた。比較例２の床材は、バングマシンにより負荷をかけた場合に実部に欠け等は見られなかったが、高温多湿環境下で寸法拡張が生じ、突き上げが起こり、床暖房使用時に寸法収縮が起こり、目隙が拡がった。
【０１４８】
これに対し、本実施例の床材は、実部が樹脂含浸により補強されているので、バングマシンによる負荷で実部が破壊されることもなく、寸法安定性にも優れるので、高温多湿環境下での突き上げ等の現象や、床暖房使用時の目隙の拡がりも見られなかった。したがって、本実施例の床材は、床材として優れていることがわかった。
【符号の説明】
【０１４９】
１，１ａ，１ｂ，１ｃ          床材
２，２ａ，２ｂ，２ｃ          雄実部
３，３ａ，３ｂ，３ｃ          雌実部
２０，２０ａ，２０ｂ，２０ｃ  規制部
２１，２１ａ，２１ｂ，２１ｃ  第二規制部
５，５ａ，５ｂ，５ｃ          樹脂
【図１】
2017110475.tif 000004
【図２】
2017110475.tif 000005
【図３】
2017110475.tif 000006
【図４】
2017110475.tif 000007
【図５】
2017110475.tif 000008